【手続補正書】
【提出日】平成25年3月31日(2013.3.31)
【手続補正１】
【補正対象書類名】明細書
【補正対象項目名】全文
【補正方法】変更
【補正の内容】
【発明の詳細な説明】
【発明の名称】電力供給システム。
【技術分野】
【０００１】
本発明は、主に充電施設としての運用を目的とした電力供給システムに関するものである。
【背景技術】
【０００２】
従来から、電気自動車への電力供給を目的とした、コンセントおよび充電スタンド（急速充電機器）や、施設の利用者が利用できるコンセントなどの電力供給機器があり、利用者側にとって利便性があった。
【０００３】
また、料金の支払い手段として、紙幣や硬貨などの貨幣や、データ上の私製貨幣である電子マネーなどがあり、貨幣は、使用できる地域や施設が限定されることはなく、電子マネーも領収する機器によっては使用ができないことがあっても、使用できる地域や施設を限定されることはない。
【発明の概要】
【発明が解決しようとする課題】
【０００４】
従来の電力供給機器は利用者の電力供給機器の利用と、電力供給機器の設置者側が意図する地域や施設でのサービスの利用や商品の購入とを結びつけることは難しかった。
【０００５】
そこで、本発明の電力供給システムは電力供給システムの利用を、電力供給機器の設置者側が意図する、地域や施設でのサービスの利用や商品の購入に結びつけることを目的としている。
【課題を解決するための手段】
【０００６】
課題を解決するための請求項１記載の電力供給システムは、電力供給手段と、料金を領収する領収手段と、を具備する電力供給システムにおいて、電子マネーを発行する発行手段を具備し、前記発行手段により発行される電子マネーが、使用を特定の地域および特定の施設の少なくとも一方に限定するための識別データを含むデータとして発行されることを特徴としており、電力供給システムの利用者に対して、使用を特定の地域および特定の施設の少なくとも一方に限定された電子マネーを発行する。
【０００７】
請求項２記載の電力供給システムは、請求項１記載の電力供給システムにおいて電子マネーの発行手段が発行する電子マネーの金額が、料金の領収手段により取得した料金の金額の５０％〜１５０％の金額であることを特徴しており、電力供給システムの利用料の少なくとも半額以上の電子マネーを発行する。
【０００８】
請求項３記載の電力供給システムは請求項１もしくは請求項２、記載の電力供給システムにおいて、電子クーポンの発行手段を備えることを特徴としており、特定の地域および特定の施設の少なくとも一方に使用を限定された電子マネーとともに電子クーポンを発行する。
【発明の効果】
【０００９】
請求項１記載の電力供給システムは、電力供給システムの利用者に対し、使用を電力供給機器の設置者側が意図する地域や施設に限定した電子マネーを発行することができ、電力供給機器の設置者側が意図する、地域や施設でのサービスの利用や商品の購入に結びつけることが可能となる。
【００１０】
請求項２記載の電力供給システムは、電子マネーの発行金額を、電力供給システムの利用料として領収した金額の少なくとも半額以上とすることで、電力供給システムの利用を促進するものである。
【００１１】
請求項３記載の電力供給システムは電子マネーの発行に加え、電子クーポンを発行することで、電力供給機器の設置者側が意図する、地域や施設でのサービスの利用や商品の購入を促進することが可能となる。
【発明を実施するための形態】
【実施例１】
【００１２】
電力供給システムを、電力供給手段１１と、料金を領収する領収手段１２と、電子マネー１４の発行手段１３と、から構成する。領収手段１２と、電子マネー１４の発行手段１３とは電力供給システムの構成を最適かつ最少にするために１つの機器とし構成することが望ましい。また、発行手段１３および領収手段１２としての機器に、複数の電力供給手段１１を、ネットワークを介して接続して構成してもよい。
【００１３】
電力供給手段１１は周知のものがあり本発明の特徴とする部分ではなく詳細な説明を省略するが、例えば、電気自動車用の充電スタンドやコンセントのような電力供給手段１１など形状や電力を限定するものではなく、最適な電力供給手段１１を用いればよい。また、電力供給は領収手段１２が利用料金を領収した後に開始することが望ましい。
【００１４】
領収手段１２と発行手段１３は、記憶装置（メモリ）と、情報処理装置（ＣＰＵ）と、ＩＣカード読取／書込装置と、から1つの機器として構成する。また、現金による利用料金の領収も行えるようにすることがより望ましい。
【００１５】
メモリには、電力供給時間、利用料金、電子マネー１４の発行額、領収額に対する電子マネー１４の発行額の割合、電子マネー１４の使用を特定の地域や施設に限定するための識別データ、などの電力供給システムの運用に関するデータを記憶させておく。領収額に対する電子マネー１４の発行額の割合は、意図的に設定することができることが望ましく、５０％〜１５０％の間に設定されていることがより望ましい。
【００１６】
領収手段１２は、メモリにあらかじめ記憶されているデータを基に利用料金の領収を行う。領収手段１２の領収方法は周知のものがあり本発明の特徴とする部分ではなく詳細な説明を省略するが、例えば自動販売機や自動券売機などに用いられているような、現金を領収する領収方法や、ＩＣカードや携帯電話から電子マネーを領収する領収方法、など利用料金を領収するのに最適な領収方法を用いればよい。
【００１７】
発行手段１３は、メモリにあらかじめ記憶されている識別データと電子マネー１４の発行額のデータを基に、もしくは、領収額に対する電子マネー１４の発行額の割合のデータと領収額と識別データを基に、識別データを含む電子マネー１４を生成しＩＣカード読取／書込装置を用いて、生成した識別データを含む電子マネー１４を、利用者が選択する携帯電話やＩＣカードのＩＣチップに発行する。このとき、発行手段１３は、領収手段１２による利用料金の領収が完了した後に、電子マネー１４を発行することが望ましい。
【００１８】
電力供給システムの動作の流れの一例を説明する。また、３）と４）は利用料金の領収が完了した後に行えれば良く、３）と４）の順序を逆にしても良い。
１）                     
利用者は電力供給システムの利用を開始し、電力供給手段１１を、電力供給を行う対象に接続する。
２）                     
利用者は電力供給システムの利用料金の支払いを、領収手段１２を用いて行い、
電力供給システムは、領収手段１２を用いて利用料金の領収を行う。
このときの領収方法の詳細は省略するが、周知の領収方法としてある自動販売機や自動券売機の領収方法のように利用料金の表示と領収を行えばよい。
３）                     
利用者は発行手段１３を用いて電子マネー１４の発行を受け、
電力供給システムは、発行手段１３用いて電子マネー１４の発行を行う。
このときの生成した電子マネー１４の発行はＩＣカード読取／書込装置を用いて行い、利用者は自身が選択した電子マネー１４の発行を受ける媒体としての携帯電話やＩＣカードを、ＩＣカード読取／書込装置にかざすことで電子マネー１４を受ける。
４）                     
電力供給システムは電力供給を開始する。
【００１９】
電子クーポン１５を、電子マネー１４と合わせて発行する場合には、メモリに電子クーポン１５のデータを記憶させておき、ＩＣカード読取／書込装置を用いて電子マネー１４の発行時に合わせて発行する。電子クーポン１５は、割引券や値引き券や無料券や商品券などの券をデータ化したものである。
【００２０】
また、電子マネー１４の使用対象となる地域の施設や、特定の施設に設置される電子マネー１４を領収するための領収装置は、メモリとＣＰＵとＩＣカード読取／書込装置と領収額の入力装置とモニタで構成する。
メモリには、識別データと照合するための照合データが記憶されている。
領収額の入力装置は、キーボードで領収額を打ち込むようなものでよく、打ち込まれた領収額は、領収処理の終了時まで一時的にメモリで記憶される。
【００２１】
領収装置は、ＩＣカードの読取時に、照合データによる識別データの照合を行い、対象となる電子マネー１４がある場合にのみメモリに記憶された領収額を領収する。
【符号の説明】
【００２２】
１１ 電力供給手段
１２ 領収手段
１３ 発行手段
１４ 電子マネー
１５ 電子クーポン
【手続補正２】
【補正対象書類名】特許請求の範囲
【補正対象項目名】全文
【補正方法】変更
【補正の内容】
【特許請求の範囲】
【請求項１】
電力供給手段と、料金を領収する領収手段と、を具備する電力供給システムにおいて、
電子マネーの発行手段を具備することを特徴とする、電力供給システム。
【請求項２】
電力供給手段と、料金を領収する領収手段と、を具備する電力供給システムにおいて、
電子マネーの発行手段を具備し、
前記発行手段から発行される電子マネーが、使用を特定の地域および特定の施設の少なくとも一方に限定するための識別データを含むことを特徴とする、電力供給システム。
【請求項３】
請求項１記載の電力供給システムにおいて、前記電子マネー発行手段により発行される電子マネーの金額が、前記料金の領収手段により取得した料金の金額の５０％〜１５０％の金額であることを特徴とする電力供給システム。
【請求項４】
請求項１もしくは請求項２、記載の電力供給システムにおいて、電子クーポンの発行手段を備えることを特徴とする電力供給システム。